(57)【要約】【課題】埋設型コンセントの設置作業を簡単にすること。【解決手段】壁１に埋設されるコンセント本体５と、コンセント本体５を収納する収納ボックス９と、収納ボックス９を壁に取り付けるための挟み金具１２と、挟み金具１２と収納ボックス９とで壁１を挟み、挟んだ状態を保持するビス１５と、コンセント本体５が剥き出しにならないように隠すコンセントプレート１３とを有する。壁１には、コンセント本体５に電線４を連結した形状を壁面１ａに投影したごとき上方に突き出た部分１９１と横幅が大きな部分１９２とを有する凸型形状の穿孔１９が形成される。上方に突き出た部分１９１には電線４を包蔵するメタルモール１６が取り付けられ、横幅が大きな部分１９２にはコンセント本体５が取り付けられる。上方に突き出た部分１９１は、横幅が大きな部分１９２に対しビス１５を回避するよう横方向に偏心されている。【選択図】図１
2008219967.tif 000002
【特許請求の範囲】
【請求項１】
プラグ差込ロを有し壁に埋設されるコンセント本体と、
当該埋設にあたりコンセント本体を収納する収納ボックスと、
この収納ボックスを壁に取り付けるための取付具と、
この取付具と前記収納ボックスとで前記壁を挟み込み、当該挟み込み状態を保持する保持具と、
を有する埋設型コンセントの設置システムであって、
前記壁には、前記コンセント本体に電線を連結した形状を壁面に投影したごとき上方に突き出た部分と横幅が大きな部分とを有する凸型形状の穿孔が形成され、
この穿孔のうち、前記上方に突き出た部分には電線を包蔵するモールが取り付けられ、
前記横幅が大きな部分には前記収納ボックスに収納された前記コンセント本体が取り付けられ、
前記上方に突き出た部分は、前記横幅が大きな部分に前記コンセント本体が取り付けられたときに前記保持具を回避する位置に形成されていることを特徴とする埋設型コンセントの設置システム。
【請求項２】
前記上方に突き出た部分は、前記横幅が大きな部分の幅方向における中心線から横に偏心され、前記保持具は、前記横幅が大きな部分の幅方向における中心線上に設けられていることを特徴とする請求項１に記載の埋設型コンセントの設置システム。
【請求項３】
前記凸型形状の穿孔を連続して複数鉛直方向に設けることを特徴とする請求項１又は２に記載の埋設型コンセントの設置システム。
【請求項４】
プラグ差込ロを有し、壁に取り付けられるコンセント本体と、
コンセント本体を収納する収納ボックスと、
この収納ボックスを壁に取り付けるために、当該収納ボックスの中心線であって鉛直方向に延びる中心線の上に位置される取付け用の取付具と、
を有するコンセントの設置システムであって、
前記壁には、電線を包蔵した状態で当該電線を前記コンセントに案内するモールが取り付けられ、
前記コンセント本体を含む前記収納ボックスが前記取付具によって取り付けられるときに、前記電線を包蔵する前記モールが、前記中心線から横に偏心された状態で前記壁に取り付けられていることを特徴とするコンセントの設置システム。
【発明の詳細な説明】
【技術分野】
【０００１】
本発明は埋設型コンセントの設置システムに関する。
【背景技術】
【０００２】
図１６，１７は住宅等の壁面１ａに設けられている従来の配線器具の設置例を示すものであり、配線器具として、電気コンセント（以下、単にコンセント）３を壁１に露出した状態で取り付けた場合を例示する。
【０００３】
コンセント３は、図示しない分電盤から引き出された電線４とつながっている。電線４は、壁面１ａに取り付けられたメタルモール７内に収納されて、コンセント３に案内される。
【０００４】
ところで、これまでコンセント３は、電線４の任意の箇所に取り付けられるのが普通であるが、近年、パソコンの普及に伴いプリンターやスキャナその他のパソコン周辺機器が併用されるようになり、コンセントの数が足りなくなることがしばしば生じる。そのためテーブルタップを使って一つのコンセントから複数の電気器具に接続することが行われている。
【０００５】
テーブルタップを使うことで１つのコンセント回路にたくさん電流が流れると、ブレーカーが落ちる可能性が高まる。そして、ブレーカーによるコンセント回路の遮断がされるぎりぎりまで使い続けると、発熱により配線が焼け、ショートや漏電の虞がある。またそれらの２次災害として、感電や火災といった事が起こり得る。このため、テーブルタップを使用して、一つのコンセントで複数の電気器具に電流を流すたこ足配線を行う場合には、相当の注意が必要である。これを回避するにはコンセントの一部屋当たりの設置数を増加すればよい。
【０００６】
しかし、これまでは、一部屋当たりにコンセントを最初から複数設ける場合でもどのコンセントも床から同じ高さに揃えられているのが普通である。低い箇所にあるコンセントの場合、老人や病人にとってはかがむのが大変な場合が少なくなかった。
【０００７】
そこで、上下方向に複数のコンセントを設置することで、老人や病人にも簡単に電気機器のプラグをコンセントに差し込めるようにすることが考えられる。
【０００８】
ところが、これまでのコンセント３は、コンセント本体５と電線４とが、鉛直方向に延びる同一の中心線Ｃ上に配置されているとともに取付け用のビス１５が中心線Ｃと直交するように配置されていた。
【０００９】
このため、コンセント３の設置作業を行う場合において、ビス１５が電線４に当たってしまい、そのため作業がしづらく、コンセント３の設置に手間取った。それ故、鉛直方向に複数のコンセントを連設する作業は手間が掛かるため、コンセントを鉛直方向に複数設ける実施形態は普及しがたいという問題があった。 
【特許文献１】実用新案登録第３１２２３６１号公報
【発明の開示】
【発明が解決しようとする課題】
【００１０】
本発明は、上記実情に鑑みてなされたものであって、その解決しようとする課題は、コンセントを鉛直方向に複数設置する場合にその作業性の向上を図ることができる技術を提
供することにある。
【課題を解決するための手段】
【００１１】
そこで、本発明は、プラグ差込ロを有し壁に埋設されるコンセント本体と、当該埋設にあたりコンセント本体を収納する収納ボックスと、この収納ボックスを壁に取り付けるための取付具と、この取付具と前記収納ボックスとで前記壁を挟み込み、当該挟み込み状態を保持する保持具と、を有する埋設型コンセントの設置システムであって、前記壁には、前記コンセント本体に電線を連結した形状を壁面に投影したごとき上方に突き出た部分と横幅が大きな部分とを有する凸型形状の穿孔が形成され、この穿孔のうち、前記上方に突き出た部分には電線を包蔵するモールが取り付けられ、前記横幅が大きな部分には前記収納ボックスに収納された前記コンセント本体が取り付けられ、前記上方に突き出た部分は、前記横幅が大きな部分に前記コンセント本体が取り付けられたときに前記保持具を回避する位置に形成されていることを特徴とするようにした。
【００１２】
本発明によれば、前記上方に突き出た部分は、前記横幅が大きな部分に対し前記保持具を回避する位置に形成されている。具体的には、前記上方に突き出た部分をコンセント本体が埋設される横幅が大きな部分の幅方向における中心線から横に偏心させて形成しておく。
【００１３】
このようにしておけば、当該上方に突き出た部分に埋設される電線は、壁面においてコンセント本体の幅方向における中心線から横方向にずれた箇所に位置するようになる。このため、コンセント本体の幅方向における中心線上には電線が配置されなくなる。
【００１４】
また、通常、コンセント程度の大きさのものにあっては、収納ボックスを壁面に固定するための保持具としてビスを使用し、当該ビスは、コンセント本体の幅方向における中心線上に位置する。よって、この場合、ビスは、これを螺子入れる際に電線が妨げにならない。なお、ビスなどの保持具を回避できる位置であれば、上記の例に拘らないのは勿論である。
【００１５】
前記凸型形状の穿孔を連続して複数鉛直方向に設けることで、複数の埋設型コンセントを壁面において鉛直方向に埋設した状態で増設することができる。
【００１６】
さらに、プラグ差込ロを有し、壁に取り付けられるコンセント本体と、コンセント本体を収納する収納ボックスと、この収納ボックスを壁に取り付けるため、当該収納ボックスの中心線であって鉛直方向に延びる中心線の上に位置する取付け用の取付具と、を有するコンセントの設置システムにおいて本発明を利用し、前記壁には、電線を包蔵した状態で当該電線を前記コンセントに案内するモールが取り付けられ、前記コンセント本体を含む前記収納ボックスが前記取付具によって取り付けられるときに、前記電線を包蔵する前記モールが、前記中心線から横に偏心された状態で取り付けられることを特徴とすれば、露出型コンセントの設置システムへの適用も可能である。
【発明の効果】
【００１７】
本発明の埋設型コンセントの設置システムによれば、コンセント本体を収納する収納ボックスを壁面に固定するためのビスなどの保持具が電線によって妨げられないので、埋設型のコンセントの設置作業が簡単にできる。また凸型形状の穿孔を連続して複数鉛直方向に設けることでコンセントの増設を容易に実施することができる。
【発明を実施するための最良の形態】
【００１８】
以下、本発明の埋設型コンセントの設置システムＩの実施の形態（以下、実施形態）を添付した図面を参照して説明する。
本発明の埋設型コンセントが従来技術と相違する点は、電線を包蔵するメタルモールのコンセント本体に対する位置及びそれに関連する部分である。したがって、本発明の埋設型コンセントの設置システムＩが、既述した従来技術と同一の部分には、同一符号を付すことにし、必要に応じて説明を加える。
【実施例１】
【００１９】
図１〜１３からわかるように、本発明に係る埋設型コンセント３の設置システムＩは、次の構成部材を含む。すなわち、コンセント本体５と、コンセント本体５を収納する収納ボックス９と、収納ボックス９を壁面１ａに取り付けるための取付具としての挟み金具１２と、取付け用のビス１５と、コンセント本体５が剥き出しにならないようにするコンセントプレート１３とを備える。なお、ビス１５は、挟み金具１２と収納ボックス９の周縁とで壁１を挟み込み、その挟み状態を保持する保持具として機能する（図１〜３参照）。
【００２０】
コンセント本体５は、一対のプラグ差込口５ａと、上・下部においてそれぞれ左右に張り出されて設けられている取付片５３とからなる。取付片５３の中央には、ビス１５の入る通し孔５３ａが形成されている（図３参照）。
【００２１】
収納ボックス９は、金属片又はプラスチックで形成される中空の箱体である。また一方にのみ開口し、当該開口９ａが室内を向くように壁１に埋設される（図２，３参照）。なお収納ボックス９の開口縁を符号９２で示す。
【００２２】
そして、収納ボックス９の左右の側壁９１には、矩形状をした複数の切り込みが設けられ、この切り込みによって囲まれる部分を外部に突き出させることにより、複数の弾性突片９１１が形成されている（図２〜４参照）。
【００２３】
弾性突片９１１は、収納ボックス９を壁１に取り付けるためのものであり、側壁９１から突出された状態とされる。収納ボックス９を壁１に取り付けるにあたり、弾性突片９１１の先端９１１ａは、壁１の裏面１ｂに当接される（図４参照）。
【００２４】
開口縁９２の上・下縁の中央には、それぞれ取付片９３が開口９ａ内に位置するように設けられている。また、各取付片９３の中央には、ビス１５が螺合する螺孔９３ａが形成されている。
加えて、収納ボックス９の上・下の壁９４ｕ・９４ｄには、電線４の通る電線通し孔９４１が左右にそれぞれ形成されている。
【００２５】
挟み金具１２は、矩形のリング板であり、その開口を符号１２ａで示す（図３参照）。挟み金具１２の内寸法は、収納ボックス９の開口９ａと同じであり、外寸法は収納ボックスの外寸法（又は後述するボックス収納穴１９２）よりも幾分大きくされている（図５参照）。
【００２６】
そして、挟み金具１２の上・下の内縁の中央には、コンセント本体５や収納ボックス９と同様、取付片１２３を有する。取付片１２３の中央には、ビス１５の入る通し孔１２３ａが形成されている。
【００２７】
コンセントプレート１３はプラスチック製である。そして、コンセントプレート１３でコンセント本体５をカバーしたときに、一対のプラグ差込口５ａをそれぞれ外部に臨ませるとともに、上部に位置する開口（以下、上部開口）１３ｕと、下部に位置する開口（以下、下部開口）１３ｄとが形成されている（図３参照）。
【００２８】
また、コンセントプレート１３の周縁部のうち、上部開口１３ｕの上方に位置する上縁
部の中央及び下部開口１３ｄの下方に位置する下縁部中央には、ビス１５の入る通し孔１３ａが形成されている（図３参照）。
【００２９】
そして、コンセントプレート１３、コンセント本体５、挟み金具１２及び収納ボックス９を組み付けた時に、コンセントプレート１３の通し孔１３ａ−コンセント本体５の通し孔５３ａ−挟み金具１２の通し孔１２３ａ−収納ボックス９の螺孔９３ａは、同軸上にかつ中心線Ｃ上にビス１５とともに位置する。
【００３０】
加えて、コンセント本体５のみならず電線４も壁面１ａに埋設するようになっている。電線４の埋設をするにあたり、メタルモール１６とメタルモールカバー１７とが用いられる（図１〜６参照）。
【００３１】
メタルモール１６は、前記分電盤とコンセント３Ａとを繋ぐ電線４のうち、室内側に位置する電線４をコンセント３Ａにまで案内するためのもので、横断面形状が、一方にのみ開口する矩形状をしている。当該開口１６ａが室内を向くように壁１に埋設され、メタルモール１６内に電線４が収納される（図２参照）。
【００３２】
また、メタルモールカバー１７によって、メタルモール１６及びメタルモール１６に収納されている電線４が隠される（図１参照）。
【００３３】
埋設型コンセント３Ａ及び電線４を壁面１ａに取り付けるには、電線４とコンセント３Ａとを連結した形状を壁面１ａに投影したごとき上方に突き出た部分と横幅が大きな部分とを有する凸型形状の穿孔（以下、埋設穴）１９を壁面１ａに形成する（図７参照）。
【００３４】
埋設穴１９のうち、上方に突き出た部分に電線４を包蔵するメタルモール１６を埋め込み、横幅が大きな部分にコンセント３Ａを埋め込む。当該上方に突き出た部分を上部案内溝１９１といい、横幅な部分をボックス収納穴１９２ということにする（図３参照）。
【００３５】
上部案内溝１９１は、横幅が大きな部分であるボックス収納穴１９２の幅方向における中心線Ｃから横に偏心して形成されている（図２，３参照）。中心線Ｃは、ボックス収納穴１９２の中心線であるとともにコンセント本体５の中心線でもある。
【００３６】
メタルモール１６は、壁面１ａ内に設けられ壁１の反りを防ぐために壁内に複数本並列に鉛直方向に設けられている横木である横桟木２７に木工螺子２７１で固定される。そのためメタルモール１６には、木工螺子２７１が通される通し孔１６１が複数（この「実施例では１つのみ示す」）穿孔されている（図２，３参照）。複数の通し孔１６１同士の間隔は、桟木２７同士の間隔と同じである。
【００３７】
収納ボックス９を壁１に取り付けるには、収納ボックス９の複数の弾性突片９１１と、挟み金具１２とにより、壁１をその裏側と表側とで挟み、その状態をビス１５で保持する。ビス１５を締めることにより、収納ボックス９の弾性突片９１１の先端９１１ａは、壁１の裏面１ｂに当たる。そしてビス１５の締め具合を強める程、弾性突片９１１の弾力は強くなり、収納ボックス９が堅固に壁１に取り付けられる。（図４参照）。
【００３８】
メタルモール１６は、メタルモールカバー１７にて被覆され、メタルモール１６内に入れられている電線４が露出しないようにされる。メタルモールカバー１７は、メタルモール１６の開口１６ａに嵌着される着脱片１７１により着脱自在にされている（図４参照）。
【００３９】
以上のようにして、壁１に埋設されたコンセント本体５と電線４とが見えないようにし
て外観を良くしている。
【００４０】
次に図４〜１３を参照して、このような構成の埋設型コンセント３Ａを壁１に設置する手順を説明する。
【００４１】
手順１：壁１に埋込穴１９を形成する（図７参照）。埋込穴１９を形成するにあたり、図示しない糸鋸で埋込穴１９の輪郭に沿って壁１を切除する。符号１１が示すものは、切除によって取り外された壁面である。
【００４２】
手順２：メタルモール１６を上部案内溝１９１に嵌め合わせ、木工螺子２７１によって桟木２７に止める（図８，９参照）。
【００４３】
手順３：収納ボックス９をボックス収納穴１９２経由で室内側から壁１内に差し込む。このとき、挟み金具１２を収納ボックス９に上のビス１５のみで仮止めを行う（図９，１０参照）。当該仮止めは、挟み金具１２が収納ボックス９から離脱しない程度であればよい（図９参照）。なお、挟み金具１２は、既述のように、収納ボックス９（ボックス収納穴１９２）の外寸法よりも幾分大きくされている（図５参照）。したがって、ボックス収納穴１９２に差し込まれている収納ボックス９に何らかの理由により外力が加わり、当該外力により収納ボックス９が壁１の内側に向けて移動することがあっても、挟み金具１２が壁１に当たり、その進行が阻止されるため、収納ボックス９はボックス収納穴１９２に差し込まれた状態を維持する。なお、コンセントプレート１３及びコンセント本体５は仮止めされていない。
【００４４】
手順４：桟木２７に取り付けられているメタルモール１６経由で分電盤から電線４を収納ボックス９まで引き込み、さらに電線４を収納ボックス９の上壁９４ｕの２つある電線通し孔９４１のうち作業し易い側の電線通し孔９４１から収納ボックス９内に導入し、挟み金具１２の裏側から開口１２ａ経由で室内側に延ばし、コンセント本体５と結線する（図１０参照）。
【００４５】
手順５：コンセント本体５を電線４とともに収納ボックス９に収納し（図１１，１２参照）、その上からコンセントプレート１３をコンセント本体５に宛がい、まだ付けていない下のビス１５をコンセントプレート１３の下の通し孔１３ａ−コンセント本体５の下の通し孔５３ａ−挟み金具１２の下の通し孔１２３ａ経由で収納ボックス９の下の螺孔９３ａに螺合し、収納ボックス９にコンセントプレート１３，コンセント本体５及び挟み金具１２を下のビス１５により仮止めする（図１２参照）。このとき上のビス１５は、手順３で行ったように、挟み金具１２のみを収納ボックス９に仮止めしている状態にある。
【００４６】
手順６：下のビス１５のみによる仮止め後、上のビス１５を外し、下のビス１５のみによる仮止めを行う。下のビス１５のみによる仮止めが行われることによって、コンセントプレート１３−コンセント本体５−挟み金具１２が壁１に仮止めされ、その後、上のビス１５を外せる状態になる。
【００４７】
なお、上のビス１５を外すに当たり、下のビス１５によって仮止めされているコンセントプレート１３と、コンセント本体５とを下のビス１５を回動軸として、時計回り又は反時計回りにある程度回動し、上のビス１５の回動軸上にそれらが無いように変位させてから上のビス１５を抜く（図示せず）。上のビス１５を抜くことで、それまでは上のビス１５で仮止めされていた挟み金具１２は、今度は下のビス１５のみによって仮止めされるようになる。その後、コンセントプレート１３と、コンセント本体５とを逆周りさせて元の位置に戻し、その後、当該外された上のビス１５とも併せて上下で本止めをする（図５,
１３参照）。
【００４８】
手順７：メタルモールカバー１７をメタルモール１６に取り付けて埋設型コンセントの設置が完成する（図４，５，１３参照）。
【００４９】
次にこのような構成の埋設型コンセントの設置システムＩの作用効果について説明する。
【００５０】
壁１に形成された埋設穴１９の上部案内溝１９１は、ボックス収納穴１９２の幅方向における中心線Ｃから横（幅方向）に偏心されているので（図１〜３参照）、メタルモール１６に包蔵されて上部案内溝１９１に埋設される電線４は、壁面１ａにおいてボックス収納穴１９２に収納されているコンセント本体５の中心から横方向にずれた箇所に位置する。また、ビス１５は中心線Ｃ上に位置し、当該位置においてコンセント本体５の内部に設けられている取付片９３の螺孔９３ａと螺合する（図２，５参照）。
【００５１】
したがって、コンセント本体５をボックス収納穴１９２に固定するビス１５を回避する位置に電線４が配置される。
【００５２】
換言すると、コンセント本体の幅方向における中心線Ｃ上には、電線４が配置されない。よって、ビス１５を螺子入れる際に電線５が妨げにならない。この結果、コンセント３Ａの設置作業が簡単にできる。
【実施例２】
【００５３】
次に図１４及び図１５を参照して、本発明の埋設型コンセントの設置システムＩの実施例２を説明する。
【００５４】
実施例２が実施例１と相違する点は、これらの図からわかるように、壁１に埋込穴１９を連続して複数鉛直方向に設けるようにした点である。
【００５５】
このようにすることで、複数の埋設型コンセント３Ａを壁面１ａにおいて鉛直方向に埋設した状態で増設ができる。また、この場合、収納ボックス９の下壁９４ｄの電線通し孔９４１を利用して、各収納ボックス９に各々含まれるコンセント３Ａ同士を電気的に連結できるように、下壁９４ｄの電線通し孔９４１に電線４を通す。
【００５６】
そして既述のようにコンセント本体５の幅方向における中心線Ｃ上には、電線４が配置されず、ビス１５を螺子入れる際に電線５が妨げにならない故、コンセント３Ａの設置作業が簡単にできるので、埋設型コンセント３Ａを鉛直方向に複数設置する場合でもその作業性の向上を図ることができる。
【００５７】
この結果、上下方向に複数のコンセントを設置することで、老人や病人にもその者が扱い易い高さのコンセントに簡単に電気機器のプラグを差し込める。この結果、コンセントを鉛直方向に複数設ける実施形態の普及に期待ができる。
【００５８】
なお、実施例２のように複数設けた場合において、コンセントをあまり必要としない場合には、メタルモール１６だけでなく、収納ボックス９をもメタルモールカバー１７で覆うように各構成部品の寸法調整を行うようにすることも考えられる。
【００５９】
また、本発明は上述の図示例にのみ限定されるものではなく、本発明の要旨を逸脱しない範囲内において種種変更を加え得ることは勿論である。
【００６０】
なお、この実施形態では埋設型コンセントの設置システムに適用したが、露出型コンセ
ントの設置システムへの適用も可能である。
【００６１】
いずれのコンセントの設置システムにしろ、プラグ差込ロを有し、壁に取り付けられるコンセント本体と、コンセント本体を収納する収納ボックスと、この収納ボックスを壁に取り付けるために、当該収納ボックスの中心線であって鉛直方向に延びる中心線の上に位置される取付け用の取付具と、を有するコンセントの設置システムであって、前記壁には、電線を包蔵した状態で当該電線を前記コンセントに案内するモールが取り付けられ、前記コンセント本体を含む前記収納ボックスが、前記取付具によって取り付けられるときに、前記電線を包蔵する前記モールが、前記中心線から横に偏心された状態で壁に取り付けられていることを特徴とする。
【図面の簡単な説明】
【００６２】
【図１】本発明に係る埋設型コンセントの第１の実施例であって、埋設型コンセントを壁面に取り付けた全体斜視図である。
【図２】図１の要部拡大図である。
【図３】図２の分解斜視図である。
【図４】図２のＩＶ−ＩＶ線断面図である。
【図５】図２のＶ−Ｖ線断面図である。
【図６】図２のＶＩ−ＶＩ線断面図である。
【図７】本発明の埋設型コンセントを取り付けるための手順を示す斜視図であって、壁面に埋設用の穴が形成された状態を示す図である。
【図８】図７に連続する図であって、図７で設けた穴のうち、メタルモールを埋設する部分に対向した位置にある桟木にメタルモールを取り付けている状態を示す図である。
【図９】図８に連続する図であって、図７で設けた穴のうち、収納ボックスを埋設する部分に収納ボックスを嵌め込み、挟み金具により収納ボックスを仮止めする前の状態を示す図である。
【図１０】図９に連続する図であって、挟み金具により収納ボックスが仮止めされ、コンセント本体に電線を結線しようとしている状態を示す図である。
【図１１】図１０に連続する図であって、コンセント本体を収納ボックスに収納しようとしている状態を示す図である。
【図１２】図１１に連続する図であって、コンセント本体を収納ボックスに収納後、メタルモールカバーを取り付けようとしている状態を示す図である。
【図１３】図１２に連続する図であって、本発明の埋設型コンセントの取り付けが終了した状態を示す図である。
【図１４】本発明の埋設型コンセントの第２の実施例であって、埋設型コンセントを壁面に取り付けた状態を示す全体斜視図である。
【図１５】図１４のＸＶ−ＸＶ線断面図である。
【図１６】従来技術を説明するための図である。
【図１７】図１６のＸＶＩＩ−ＸＶＩＩ線断面図である。
【符号の説明】
【００６３】
Ｉ  埋設型コンセントの設置システム
１  壁
１ａ  壁面
１１  切除によって取り外された壁面
３  コンセント（露出型コンセント）
３Ａ  コンセント（埋設型コンセント）
４  電線
５  コンセント本体
５ａ  プラグ差込ロ
５３  コンセント本体の取付片
５３ａ  通し孔
７  メタルモール（モール）
９  収納ボックス
９ａ  収納ボックスの開口
９１  収納ボックスの側壁
９１１  弾性突片
９１１ａ  弾性突片の先端
９２  収納ボックスの開口縁
９３  収納ボックスの取付片
９３ａ  螺孔
９４ｕ  上壁
９４ｄ  下壁
９４１  電線通し孔
１２  挟み金具（取付具）
１２ａ  挟み金具の開口
１２３  挟み金具の取付片
１２３ａ  通し孔
１３  コンセントプレート
１３ａ  コンセントプレートの通し孔
１３ｕ  コンセントプレートの上部開口
１３ｄ  コンセントプレートの下部開口
１５  ビス（保持具）
１６  メタルモール
１６ａ  メタルモールの開口
１６１  メタルモールに形成された通し孔
１７  メタルモールカバー
１９  埋設穴（凸型形状の穿孔）
１９１  上部案内溝（穿孔のうち上方に突き出た部分）
１９２  ボックス収納穴（穿孔のうち横幅が大きな部分）
２７  桟木
２７１  桟木にメタルモールを固定するための木工螺子
Ｃ  ボックス収納穴の幅方向における中心線
【図１】
2008219967.tif 000003
【図２】
2008219967.tif 000004
【図３】
2008219967.tif 000005
【図４】
2008219967.tif 000006
【図５】
2008219967.tif 000007
【図６】
2008219967.tif 000008
【図７】
2008219967.tif 000009
【図８】
2008219967.tif 000010
【図９】
2008219967.tif 000011
【図１０】
2008219967.tif 000012
【図１１】
2008219967.tif 000013
【図１２】
2008219967.tif 000014
【図１３】
2008219967.tif 000015
【図１４】
2008219967.tif 000016
【図１５】
2008219967.tif 000017
【図１６】
2008219967.tif 000018
【図１７】
2008219967.tif 000019